(57)【要約】【課題】在高の信頼性を向上するための紙幣処理装置、紙幣処理方法、およびプログラムを提供する。【解決手段】紙幣入金口と、前記紙幣入金口に入金された入金紙幣を一時的に集積する一時保留部と、前記紙幣入金口から前記一時保留部へ前記入金紙幣が搬送される第１の過程、および前記一時保留部から前記入金紙幣が搬送される第２の過程において前記入金紙幣を鑑別する鑑別部と、同一の入金紙幣の前記第１の過程における鑑別結果と前記第２の過程における鑑別結果との関係に応じて前記入金紙幣の扱いを決定する制御部と、を備える、紙幣処理装置。【選択図】図３
2013050782.tif 000002
【特許請求の範囲】
【請求項１】
紙幣入金口と、
前記紙幣入金口に入金された入金紙幣を一時的に集積する一時保留部と、
前記紙幣入金口から前記一時保留部へ前記入金紙幣が搬送される第１の過程、および前記一時保留部から前記入金紙幣が搬送される第２の過程において前記入金紙幣を鑑別する鑑別部と、
同一の入金紙幣の前記第１の過程における鑑別結果と前記第２の過程における鑑別結果との関係に応じて前記入金紙幣の扱いを決定する制御部と、
を備える、紙幣処理装置。
【請求項２】
前記制御部は、前記第１の過程において金種の鑑別結果が得られ、前記第２の過程における鑑別結果が金種不明であった入金紙幣の金種を、前記第１の過程における鑑別結果の金種として扱う、請求項１に記載の紙幣処理装置。
【請求項３】
前記紙幣処理装置は、紙幣集積部をさらに備え、
前記制御部は、
前記第１の過程で得られた金種の鑑別結果と前記第２の過程で得られた金種の鑑別結果が一致する入金紙幣が前記紙幣集積部へ搬送され、
前記第１の過程で得られた金種の鑑別結果と前記第２の過程で得られた金種の鑑別結果が異なる入金紙幣が外部に返却されるように前記入金紙幣の搬送を制御する、請求項２に記載の紙幣処理装置。
【請求項４】
前記第２の過程において前記鑑別部が入金紙幣の枚数の判別に失敗し、同一紙幣についての前記第１の過程での鑑別結果と前記第２の過程での鑑別結果との対応関係が不明になった場合、前記制御部は、第２の過程で得られた鑑別結果に従って入金紙幣の搬送を制御する、請求項３に記載の紙幣処理装置。
【請求項５】
前記第１の過程における各入金紙幣の鑑別結果を前記一時保留部への集積順序と対応付けて記憶する記憶部をさらに備える、請求項１〜４のいずれか一項に記載の紙幣処理装置。
【請求項６】
紙幣入金口から一時保留部へ入金紙幣を搬送する第１の過程と、
前記一時保留部から前記入金紙幣を搬送する第２の過程と、
を含み、
前記第１の過程および前記第２の過程の各々において前記入金紙幣の鑑別を行い、
同一の入金紙幣の前記第１の過程における鑑別結果と前記第２の過程における鑑別結果との関係に応じて前記入金紙幣の扱いを決定する、紙幣処理方法。
【請求項７】
コンピュータを、
紙幣入金口から一時保留部へ入金紙幣を搬送する第１の過程と、
前記一時保留部から前記入金紙幣を搬送する第２の過程と、
を実行する紙幣処理装置であって、
前記第１の過程および前記第２の過程の各々において前記入金紙幣の鑑別を行い、
同一の入金紙幣の前記第１の過程における鑑別結果と前記第２の過程における鑑別結果との関係に応じて前記入金紙幣の扱いを決定する紙幣処理装置として機能させるための、プログラム。
【請求項８】
紙幣入金口と、
前記紙幣入金口に入金された入金紙幣を一時的に集積する一時保留部と、
紙幣集積部と、
前記一時保留部から前記入金紙幣を搬送する過程において前記入金紙幣を鑑別する鑑別部と、
前記鑑別部により正常な鑑別結果が得られた入金紙幣は前記紙幣集積部に搬送され、前記鑑別部により正常な鑑別結果が得られなかった入金紙幣は前記紙幣入金口に搬送されるように各入金紙幣の搬送を制御する制御部と、
を備える、紙幣処理装置。
【発明の詳細な説明】
【技術分野】
【０００１】
本発明は、紙幣処理装置、紙幣処理方法、およびプログラムに関する。
【背景技術】
【０００２】
近日、スーパーマーケットやコンビニエンスストアなどの多様な商業施設にＰＯＳレジスタが導入されており、レジの係員は、例えばこのＰＯＳレジスタを操作することにより顧客との現金の授受を行うことができる。
【０００３】
また、上記のような商業施設での売上金を計数、入金するための入金機も提案されている。例えば、入金機は、売上金を入金して回収カセットに収納するための入金取引、各入金取引による入金を集計する締め取引、および、回収カセットに収納された売上金を回収するための回収取引などの取引機能を有する。回収取引により回収された売上金は、例えば、入金機の利用者、または定期的に商業施設を訪問する警備会社により金融機関の口座に入金される。なお、特許文献１にも、このように現金を計数および収納する自動取引装置について開示されている。
【先行技術文献】
【特許文献】
【０００４】
【特許文献１】特開２００６−３３８２９０号公報
【発明の概要】
【発明が解決しようとする課題】
【０００５】
ここで、紙幣の入金取引について具体的に説明する。紙幣の入金取引は、入金された紙幣を鑑別して一時保留部に搬送する入金計数処理、および、利用者による入金額の確認操作の後に紙幣を再度鑑別して回収カセットに搬送する収納計数処理を含む。入金計数処理時に例えば汚損や走行状態により正常な鑑別結果が得られなかった紙幣はリジェクト部に搬送され、利用者に返却される。また、回収カセットの在高は、収納計数処理時の鑑別結果に基づいて確定される。
【０００６】
しかし、収納計数処理時に例えば金種不明と鑑別された紙幣があった場合、回収カセットの在高が不確かになってしまうので、回収カセット内の紙幣の数え直しが必要となるという問題がある。また、入金機の信頼性が疑われてしまうことも懸念される。
【０００７】
そこで、本発明は、上記問題に鑑みてなされたものであり、本発明の目的とするところは、在高の信頼性を向上することが可能な、新規かつ改良された紙幣処理装置、紙幣処理方法、およびプログラムを提供することにある。
【課題を解決するための手段】
【０００８】
上記課題を解決するために、本発明のある観点によれば、紙幣入金口と、前記紙幣入金口に入金された入金紙幣を一時的に集積する一時保留部と、前記紙幣入金口から前記一時保留部へ前記入金紙幣が搬送される第１の過程、および前記一時保留部から前記入金紙幣が搬送される第２の過程において前記入金紙幣を鑑別する鑑別部と、同一の入金紙幣の前記第１の過程における鑑別結果と前記第２の過程における鑑別結果との関係に応じて前記入金紙幣の扱いを決定する制御部と、を備える紙幣処理装置が提供される。
【０００９】
前記制御部は、前記第１の過程において金種の鑑別結果が得られ、前記第２の過程における鑑別結果が金種不明であった入金紙幣の金種を、前記第１の過程における鑑別結果の金種として扱ってもよい。
【００１０】
前記紙幣処理装置は、紙幣集積部をさらに備え、前記制御部は、前記第１の過程で得られた金種の鑑別結果と前記第２の過程で得られた金種の鑑別結果が一致する入金紙幣が前記紙幣集積部へ搬送され、前記第１の過程で得られた金種の鑑別結果と前記第２の過程で得られた金種の鑑別結果が異なる入金紙幣が外部に返却されるように前記入金紙幣の搬送を制御してもよい。
【００１１】
前記第２の過程において前記鑑別部が入金紙幣の枚数の判別に失敗し、同一紙幣についての前記第１の過程での鑑別結果と前記第２の過程での鑑別結果との対応関係が不明になった場合、前記制御部は、第２の過程で得られた鑑別結果に従って入金紙幣の搬送を制御してもよい。
【００１２】
紙幣処理装置は、前記第１の過程における各入金紙幣の鑑別結果を前記一時保留部への集積順序と対応付けて記憶する記憶部をさらに備えてもよい。
【００１３】
また、上記課題を解決するために、本発明の別の観点によれば、前記紙幣入金口から前記一時保留部へ入金紙幣を搬送する第１の過程と、前記一時保留部から前記入金紙幣を搬送する第２の過程と、を含み、前記第１の過程および前記第２の過程の各々において前記入金紙幣の鑑別を行い、同一の入金紙幣の前記第１の過程における鑑別結果と前記第２の過程における鑑別結果との関係に応じて前記入金紙幣の扱いを決定する、紙幣処理方法が提供される。
【００１４】
また、上記課題を解決するために、本発明の別の観点によれば、コンピュータを、紙幣入金口から一時保留部へ入金紙幣を搬送する第１の過程と、前記一時保留部から前記入金紙幣を搬送する第２の過程と、を実行する紙幣処理装置であって、前記第１の過程および前記第２の過程の各々において前記入金紙幣の鑑別を行い、同一の入金紙幣の前記第１の過程における鑑別結果と前記第２の過程における鑑別結果との関係に応じて前記入金紙幣の扱いを決定する紙幣処理装置として機能させるための、プログラムが提供される。
【００１５】
また、上記課題を解決するために、本発明の別の観点によれば、紙幣入金口と、前記紙幣入金口に入金された入金紙幣を一時的に集積する一時保留部と、紙幣集積部と、前記一時保留部から前記入金紙幣を搬送する過程において前記入金紙幣を鑑別する鑑別部と、前記鑑別部により正常な鑑別結果が得られた入金紙幣は前記紙幣集積部に搬送され、前記鑑別部により正常な鑑別結果が得られなかった入金紙幣は前記紙幣入金口に搬送されるように各入金紙幣の搬送を制御する制御部と、を備える紙幣処理装置が提供される。
【発明の効果】
【００１６】
以上説明したように本発明によれば、在高の信頼性を向上することが可能となる。
【図面の簡単な説明】
【００１７】
【図１】本発明の実施形態による入金機の外観を示した説明図である。
【図２】メニュー画面の具体例を示した説明図である。
【図３】入金機の内部構成を示した説明図である。
【図４】第１の動作例による入金計数処理を示した説明図である。
【図５】記憶部の構成を示した説明図である。
【図６】第１の動作例による収納処理を示した説明図である。
【図７】第１の動作例のフローを示した説明図である。
【図８】第２の動作例による入金取引を示した説明図である。
【図９】第２の動作例のフローを示した説明図である。
【図１０】第３の動作例による入金取引を示した説明図である。
【図１１】第３の動作例のフローを示した説明図である。
【発明を実施するための形態】
【００１８】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１９】
＜１．入金機の基本構成＞
本発明の実施形態による入金機１は、コンビニエンスストアやスーパーマーケットのような多様な商業施設での売上金を計数、入金するために用いられる。以下では、このような本発明の実施形態による入金機１の基本構成を図１〜図３を参照して説明する。なお、以下では、本発明の紙幣処理装置の一例として入金機１を説明するが、本発明の紙幣処理装置は入金機１に限定されない。例えば、本発明の紙幣処理装置は、オンライン／オフラインで入金／出金を管理する多様な入出金装置、あるいは自動取引装置にも適用可能である。
【００２０】
図１は、本発明の実施形態による入金機１の外観を示した説明図である。図１に示したように、入金機１は、硬貨入金口１２と、硬貨リジェクト部１４と、硬貨返却箱１６と、操作表示部１８と、紙幣入金口２２と、紙幣リジェクト部２４と、を備える。
【００２１】
硬貨入金口１２は、利用者が硬貨を入金するための硬貨の投入口である。硬貨リジェクト部１４は、利用者に返却するためのリジェクト硬貨が搬送される場所である。硬貨返却箱１６は、売上入金の取消時に利用者に返却するための硬貨が搬送される場所である。
【００２２】
操作表示部１８は、利用者による操作を誘導するための表示画面を表示する表示部、および操作を検出する操作検出部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作検出部としての機能は例えばタッチパネルやボタンにより実現される。なお、本明細書においては表示部および操作検出部の機能が入金機１において一体的に構成される例を説明するが、表示部および操作検出部の機能は分離して構成されてもよい。
【００２３】
紙幣入金口２２は、利用者が紙幣を入金するための紙幣の投入口、および、入金が取り消された場合に入金済みの紙幣を返却するための紙幣の返却口である。紙幣リジェクト部２４は、鑑別結果が正常でなかった紙幣、すなわち、金種不明と鑑別された紙幣、汚損、折れまたは破れなどのある紙幣などが利用者への返却のために搬送される場所である。
【００２４】
上記のような入金機１は、入金された現金を回収カセットに収納するための入金取引、各入金取引による入金を集計する締め取引、および、回収カセットに収納された現金を回収するための回収取引などの取引機能を有する。入金機１は、これらの取引機能のうち、利用者により選択された取引を実行する。
【００２５】
例えば、入金機１は、事前に登録済みのレジカードやＩＤカードなどを読み込み、認証に成功すると、図２に示すようなメニュー画面を操作表示部１８に表示する。図２に示したように、メニュー画面は、入金取引に対応する入金ボタン４２、締め取引に対応する締めボタン４４、および回収取引に対応する回収ボタン４６を含む。利用者は、このようなメニュー画面を操作することにより、所望の取引を選択することが可能である。
【００２６】
（入金取引）
例えば、メニュー画面において入金ボタン４２が選択されると、操作表示部１８は、紙幣および硬貨の入金を誘導する画面を表示する。そして、利用者が硬貨を硬貨入金口１２に投入し、紙幣を紙幣入金口２２に投入すると、入金機１は硬貨および紙幣を鑑別し、正常と鑑別された硬貨および紙幣を一時保留部に集積する入金計数処理を行う。続いて、入金機１は、正常と鑑別された紙幣および硬貨の金額を操作表示部１８に表示する。その後、利用者が投入金額と表示金額が一致していることを確認し、確認ボタンを操作すると、一時保留部の硬貨および紙幣が回収カセットに搬送される。なお、入金計数処理での鑑別結果が正常でなかった硬貨および紙幣は、硬貨リジェクト部１４および紙幣リジェクト部２４に搬送され、利用者に返却される。
【００２７】
（締め取引）
また、メニュー画面において締めボタン４４が選択されると、入金機１は、それまでの各入金取引での入金金額を集計する。
【００２８】
（回収取引）
また、メニュー画面において回収ボタン４６が選択されると、入金機１は回収カセットの脱着を誘導する画面を操作表示部１８に表示する。そして、利用者により回収カセットが脱着され、現金が利用者により回収され、空の回収カセットが装着されると、回収取引が終了する。回収取引により回収された現金は、例えば、入金機１の利用者、または定期的に商業施設を訪問する警備会社により金融機関の口座に入金される。
【００２９】
＜２．紙幣の入金処理のための構成＞
本発明の実施形態は、入金機１における現金の入金処理に関し、特に、入金機１における紙幣の入金処理に関する。そこで、以下では、図３を参照して紙幣を入金するための入金機１の内部構成をより詳細に説明する。
【００３０】
図３は、入金機１の内部構成を示した説明図である。図３に示したように、入金機１は、紙幣入金口２２、鑑別部２３、紙幣リジェクト部２４、一時保留部２６、回収カセット２８、制御部３２、および記憶部３４を含む。
【００３１】
紙幣入金口２２は、モータｍ１の回転により紙幣入金口２２に投入された紙幣が鑑別部２３に向けて繰り出される。
【００３２】
鑑別部２３は、入金紙幣の鑑別を行う。具体的には、鑑別部２３は、紙幣入金口２２から搬送された紙幣の金種、真偽、正損および走行状態などを鑑別する。また、鑑別部２３は、利用者によって入金金額が確認された後、一時保留部２６から回収カセット２８に搬送する紙幣の鑑別を行う。なお、鑑別部２３には、紙幣の通過を検知するセンサＳ１が設けられている。
【００３３】
紙幣リジェクト部２４は、鑑別部２３による鑑別結果が正常でなかった紙幣をモータｍ２の回転により集積する。
【００３４】
一時保留部２６は、鑑別部２３による鑑別結果が正常であった紙幣をモータｍ３の回転により一時的に集積する。
【００３５】
回収カセット２８は、一時保留部２６から搬送される紙幣をモータｍ４の回転により集積する紙幣集積部である。なお、回収カセット２８には、紙幣の通過を検知するセンサＳ２が設けられており、センサＳ２の検知結果に基づいて回収カセット２８に各紙幣が集積されたことを判断することが可能となる。
【００３６】
制御部３２は、入金機１の動作全般を制御する。例えば、制御部３２は、紙幣の搬送制御、および、鑑別部２３による鑑別の結果に基づく計数処理などを行う。記憶部３４は、入金機１の動作のために利用する情報を記憶する。このような制御部３２および記憶部３４の具体的な機能については、「３．第１の動作例」〜「５．第３の動作例」において詳細に説明する。
【００３７】
（本実施形態の背景）
ところで、通常の入金機においては、回収カセットの在高は、一時保留部から回収カセットへ紙幣を搬送する際に鑑別結果に基づいて確定される。しかし、回収カセットへの搬送時に金種不明と鑑別された紙幣があった場合、回収カセットの在高が不確かになってしまうので、回収カセット内の紙幣の数え直しが必要となるという問題がある。また、入金機の信頼性が疑われてしまうことも懸念される。
【００３８】
そこで、上記の事情を一着眼点にして本発明の実施形態を創作するに至った。本発明の実施形態の各動作例によれば、回収カセット２８の在高の信頼性を向上することが可能となる。以下、このような本発明の実施形態の各動作例を詳細に説明する。
【００３９】
＜３．第１の動作例＞
まず、第１の動作例として、入金計数処理で鑑別された紙幣の金種、および一時保留部２６への当該紙幣の集積順序を対応付けて記憶し、回収カセット２８への搬送時に金種不明と鑑別された紙幣の金種を、入金計数処理時に記憶した情報に基づいて確定する動作を説明する。
【００４０】
図４は、第１の動作例による入金計数処理を示した説明図である。図４に示したように、紙幣入金口２２に投入された紙幣は、鑑別部２３による鑑別結果に応じ、紙幣リジェクト部２４または一時保留部２６に搬送される（第１の過程）。ここで、記憶部３４（図３）は、一時保留部２６に搬送された紙幣の金種と、一時保留部２６への当該紙幣の集積順序を対応付けて記憶する。
【００４１】
例えば、図４に示したように、一時保留部２６に紙幣ｂ１が最初に集積され、続いて、紙幣ｂ２〜ｂ５が集積され、最後に紙幣ｂ６が集積された場合、記憶部３４は、図５に示したように、紙幣ｂ１〜ｂ６の金種と、紙幣ｂ１〜ｂ６の一時保留部２６への集積順序を対応付けて記憶する。
【００４２】
その後、利用者により入金金額が確認されると、一時保留部２６に集積された紙幣がＬＩＦＯ（Ｌａｓｔ  Ｉｎ  Ｆａｓｔ  Ｏｕｔ）に従って回収カセット２８に搬送される（第２の過程）。
【００４３】
ここで、図６に示すように、回収カセット２８への搬送時の紙幣ｂ３の鑑別結果が金種不明であった場合を考える。この場合、制御部３２（図３）は、紙幣ｂ３の金種を、紙幣ｂ３の回収カセット２８への集積順序から、紙幣ｂ３が一時保留部２６に集積された順序を判断し、紙幣ｂ３が一時保留部２６に集積された順序と記憶部３４において対応付けられている金種として扱う。
【００４４】
より具体的には、紙幣ｂ３の回収カセット２８への集積順序は「４」であるので、紙幣ｂ３が一時保留部２６に集積された順序は「３」であると判断される。このため、制御部３２は、紙幣ｂ３の金種を、記憶部３４において集積順序「３」と対応付けられている五千円として扱う。
【００４５】
このように、第１の動作例によれば、回収カセット２８への搬送時に金種不明の紙幣が発生した場合であっても、入金計数処理で得られた鑑別結果とのマッチングにより当該紙幣の金種を特定することが可能である。したがって、回収カセット２８に収納した各金種の紙幣枚数および金額をより高精度に確定することが可能となる。
【００４６】
（第１の動作例のフローの整理）
以下、図７を参照し、上述した第１の動作例のフローを整理する。図７に示したように、まず、紙幣入金口２２に紙幣が投入されると（Ｓ１０４）、当該紙幣は鑑別部２３に搬送され、鑑別部２３が当該紙幣を鑑別する（Ｓ１０８）。そして、鑑別結果が正常でなかった場合、当該紙幣は紙幣リジェクト部２４に搬送される（Ｓ１１６）。
【００４７】
一方、鑑別結果が正常であった場合、当該紙幣は一時保留部２６に集積される（Ｓ１２０）。また、記憶部３４が、当該紙幣の金種と、一時保留部２６への当該紙幣の集積順序とを対応付けて記憶する（Ｓ１２４）。
【００４８】
その後、全ての紙幣について一時保留部２６への搬送が終了すると、操作表示部１８が入金金額を表示する（Ｓ１３０）。これに対し、利用者により入金金額の確認操作が行われると（Ｓ１３４）、制御部３２は、一時保留部２６に集積された紙幣を回収カセット２８に搬送するための制御を開始する（Ｓ１３８）。
【００４９】
その際、鑑別部２３が紙幣を鑑別し（Ｓ１４２）、鑑別部２３により鑑別された紙幣が回収カセット２８に搬送される（Ｓ１４６）。ここで、鑑別部２３による鑑別結果が金種不明であった場合、制御部３２は、記憶部３４に記憶されている金種と一時保留部２６への集積順序を示す情報に基づき、当該紙幣の金種を特定する（Ｓ１５４）。そして、一時保留部２６に集積された全ての紙幣の搬送が終了すると、入金取引が終了する（Ｓ１５８）。
【００５０】
（第１の動作例の補足）
ところで、第１の動作例は、一時保留部２６への集積順序と、回収カセット２８への搬送順序に基づいて、同一紙幣に関する２回の金種の鑑別結果を比較することが可能である。しかし、走行状態によっては、搬送される紙幣の枚数を鑑別部２３が正確に鑑別できない場合が想定される。この場合、以降に一時保留部２６から鑑別部２３に搬送される紙幣が何番目に搬送された紙幣であるかを正確に特定できなくなるので、２回の金種の鑑別結果を直接的に比較することが困難となる。
【００５１】
そこで、鑑別部２３が搬送される紙幣の枚数の鑑別に失敗した場合、失敗後に鑑別部２３が鑑別した金種の順列と、記憶部３４に記憶されている金種の順列とを比較することにより、一時保留部２６から何番目に搬送された紙幣であるかを推定してもよい。具体的には、失敗後に鑑別部２３が鑑別した金種の順列が「千円、５千円、１万円」であった場合、制御部３２は、「千円、５千円、１万円」という順列に一致する部分を記憶部３４から検索してもよい。これにより、制御部３２は、「千円、５千円、１万円」という順列部分に対応する集積順序を抽出することにより、失敗後に鑑別部２３が鑑別した紙幣が何番目に搬送された紙幣であるかを推定することが可能となる。
【００５２】
＜４．第２の動作例＞
続いて、本実施形態の第２の動作例を説明する。第２の動作例の背景として、一時保留部２６から搬送される紙幣を鑑別部２３による鑑別結果に関係なく回収カセット２８に収納すると、ジャムの発生率が高くなるという問題が挙げられる。すなわち、鑑別部２３により金種不明と鑑別された紙幣や、正常でないと鑑別された紙幣は、汚損、折れまたは破れなどの紙幣であることが多いので、このような紙幣は回収カセット２８への収納時にジャムとなる確率が高い。なお、一時保留部２６への搬送時に正常と鑑別された紙幣であっても、その後の搬送により折れや破れが発生し、一時保留部２６からの搬送時には正常でないと鑑別されることも考えられる。
【００５３】
第２の動作例によれば、上記のような回収カセット２８でのジャムの発生を抑制することが可能である。以下、図８を参照し、第２の動作例について詳細に説明する。
【００５４】
図８は、第２の動作例による入金取引を示した説明図である。第２の動作例による制御部３２は、図８に示したように、一時保留部２６からの紙幣の搬送時に、鑑別部２３による鑑別結果が正常であった正常紙幣を回収カセット２８に搬送する。
【００５５】
一方、制御部３２は、図８に示したように、鑑別部２３による鑑別結果が正常でなかった金種不明紙幣およびリジェクト紙幣を、返却のために紙幣入金口２２に搬送する。そして、制御部３２は、入金取引を終了せずに、利用者に返却された紙幣の再入金を誘導する画面を操作表示部１８に表示させる。
【００５６】
このように、本実施形態の第２の動作例によれば、ジャムの発生を誘発しそうな紙幣が回収カセット２８に収納されることを回避できるので、ジャムの発生を抑制すると同時に、回収カセット２８の各金種の紙幣枚数および金額を確定することが可能となる。
【００５７】
（第２の動作例のフローの整理）
以下、図９を参照し、上述した第２の動作例のフローを整理する。図９に示したように、まず、紙幣入金口２２に紙幣が投入されると（Ｓ１０４）、当該紙幣は鑑別部２３に搬送され、鑑別部２３が当該紙幣を鑑別する（Ｓ１０８）。そして、鑑別結果が正常でなかった場合、当該紙幣は紙幣リジェクト部２４に搬送される（Ｓ１１６）。一方、鑑別結果が正常であった場合、当該紙幣は一時保留部２６に集積される（Ｓ１２０）。
【００５８】
その後、全ての紙幣について一時保留部２６への搬送が終了すると、操作表示部１８が入金金額を表示する（Ｓ１３０）。これに対し、利用者により入金金額の確認操作が行われると（Ｓ１３４）、制御部３２は、一時保留部２６に集積された紙幣を回収カセット２８に搬送するための制御を開始する（Ｓ１３８）。
【００５９】
その際、鑑別部２３が紙幣を鑑別する（Ｓ１４２）。ここで、制御部３２は、鑑別部２３による鑑別結果が正常であった紙幣を回収カセット２８に搬送する（Ｓ１６２、Ｓ１６６）。一方、制御部３２は、鑑別部２３による鑑別結果が正常でなかった紙幣を返却のために紙幣入金口２２へ搬送し（Ｓ１７０）、紙幣の再投入を誘導する画面を操作表示部１８に表示させる（Ｓ１７４）。
【００６０】
そして、一時保留部２６に集積された全ての紙幣の搬送が終了すると、紙幣入金口２２から返却した紙幣があった場合には取引を終了せず、紙幣入金口２２に紙幣が再投入された場合にはＳ１０８からの処理を繰り返す。なお、紙幣が再投入されなかった場合でも、利用者により終了を指示する操作が行われた場合、入金機１は入金取引を終了してもよい。
【００６１】
＜５．第３の動作例＞
続いて、本実施形態の第３の動作例を説明する。第３の動作例の背景として、一時保留部２６から回収カセット２８への搬送時に鑑別部２３が金種を誤って鑑別し得ることが挙げられる。この場合、回収カセット２８に実際に収納されている紙幣の金額と、入金機１が回収カセット２８に収納されていると認識している在高とが一致しなくなる。本実施形態の第３の動作例は、このような背景から創作されたものであり、第３の動作例によれば、回収カセット２８の在高の精度を一層向上することが可能である。以下、図１０および図１１を参照して詳細に説明する。
【００６２】
第３の動作例による入金取引は、一時保留部２６に紙幣を集積するまでの処理は第１の動作例と共通する。すなわち、第３の動作例においても、図４および図５を参照して説明したように、記憶部３４が、一時保留部２６に搬送された紙幣の金種と、一時保留部２６への当該紙幣の集積順序を対応付けて記憶する。一方、第３の動作例は、図１０に示すように、一時保留部２６から搬送される紙幣の扱い方が第１の実施形態と異なる。
【００６３】
図１０は、第３の動作例による入金取引を示した説明図である。なお、図１０は、図４に示したように一時保留部２６に紙幣ｂ１〜ｂ６が集積された後の処理を示している。図１０に示したように、制御部３２は、一時保留部２６に集積された紙幣をＬＩＦＯに従って鑑別部２３に搬送する。すなわち、制御部３２は、鑑別部２３に紙幣ｂ６を最初に搬送し、続いて紙幣ｂ５〜ｂ２を搬送し、最後に紙幣ｂ１を搬送する。
【００６４】
そして、鑑別部２３により各紙幣の金種が鑑別されると、制御部３２は、各紙幣の鑑別された金種が、記憶部３４に記憶されている各紙幣の金種と一致するか否かを判断する。具体的には、制御部３２は、各紙幣の鑑別部２３への搬送順序から、各紙幣が一時保留部２６に集積された順序を判断し、各紙幣が一時保留部２６に集積された順序と記憶部３４で対応付けられている金種と、今回鑑別部２３により鑑別された紙幣の金種とを比較する。図１０に示した例では、紙幣ｂ３について記憶部３４に記憶されている金種は五千円であるのに対し、今回の紙幣ｂ３の鑑別結果は千円であるので、制御部３２は、双方の金種が異なると判断する。
【００６５】
さらに、制御部３２は、双方の金種が一致する紙幣は回収カセット２８に搬送し、双方の金種が異なる紙幣は返却のために紙幣入金口２２に搬送する。図１０に示した例では、紙幣ｂ１、ｂ２、ｂ４〜ｂ６を回収カセット２８に搬送し、紙幣ｂ３を紙幣入金口２２に搬送する。
【００６６】
このように、第３の動作例によれば、入金計数処理において鑑別された金種と、回収カセット２８への収納処理において鑑別された金種が一致する紙幣のみを回収カセット２８に収納することにより、回収カセット２８の在高の精度を一層向上することが可能である。
【００６７】
（第３の動作例のフローの整理）
以下、図１１を参照し、上述した第３の動作例のフローを整理する。なお、入金計数処理を含むＳ１０４〜Ｓ１３０の処理は第１の動作例と実質的に同一であるので、ここでの詳細な説明を省略する。
【００６８】
図１１に示したように、利用者により入金金額の確認操作が行われると（Ｓ１３４）、制御部３２は、一時保留部２６に集積された紙幣を回収カセット２８に搬送するための制御を開始する（Ｓ１３８）。
【００６９】
その際、鑑別部２３が紙幣を鑑別する（Ｓ１４２）。ここで、制御部３２は、記憶部３４を参照し、今回鑑別された金種と、入金計数処理で鑑別された金種が一致するか否かを判断する（Ｓ１８４）。そして、制御部３２は、双方の金種が一致する場合には紙幣を回収カセット２８に搬送し（Ｓ１８８）、異なる場合には紙幣を返却のために紙幣入金口２２に搬送する（Ｓ１９２）。そして、一時保留部２６に集積された全ての紙幣の搬送が終了すると、入金取引が終了する（Ｓ１９６）。
【００７０】
（第３の動作例の補足）
ところで、第３の動作例は、一時保留部２６への集積順序と、一時保留部２６からの搬送順序に基づいて、同一紙幣に関する２回の金種の鑑別結果を比較することが可能である。しかし、走行状態によっては、搬送される紙幣の枚数を鑑別部２３が正確に鑑別できない場合が想定される。この場合、以降に一時保留部２６から鑑別部２３に搬送される紙幣が何番目に搬送された紙幣であるかを正確に特定できなくなるので、２回の金種の鑑別結果を直接的に比較することが困難となる。
【００７１】
そこで、鑑別部２３が搬送される紙幣の枚数の鑑別に失敗した後は、第３の動作例を中止し、通常通りに全ての紙幣を回収カセット２８に搬送してもよいし、第２の動作例に移行してもよい。
【００７２】
＜６．むすび＞
以上説明したように、本実施形態の第１の動作例によれば、回収カセット２８への搬送時に金種不明の紙幣が発生した場合であっても、入金計数処理で得られた鑑別結果とのマッチングにより当該紙幣の金種を特定することが可能である。したがって、回収カセット２８に収納した各金種の紙幣枚数および金額をより高精度に確定することが可能となる。
【００７３】
また、本実施形態の第２の動作例によれば、ジャムの発生を誘発しそうな紙幣が回収カセット２８に収納されることを回避できるので、ジャムの発生を抑制すると同時に、回収カセット２８の各金種の紙幣枚数および金額を確定することが可能となる。
【００７４】
さらに、本実施形態の第３の動作例によれば、入金計数処理において鑑別された金種と、回収カセット２８への収納処理において鑑別された金種が一致する紙幣のみを回収カセット２８に収納することにより、回収カセット２８の在高の精度を一層向上することが可能である。
【００７５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７６】
例えば、本明細書の入金機１の処理における各ステップは、必ずしもフローチャートとして記載された順序に沿って時系列に処理する必要はない。例えば、入金機１の処理における各ステップは、フローチャートとして記載した順序と異なる順序で処理されても、並列的に処理されてもよい。
【００７７】
また、入金機１に内蔵されるＣＰＵ、ＲＯＭおよびＲＡＭなどのハードウェアを、上述した入金機１の各構成と同等の機能を発揮させるためのコンピュータプログラムも作成可能である。また、該コンピュータプログラムを記憶させた記憶媒体も提供される。
【符号の説明】
【００７８】
１    入金機
１２  硬貨入金口
１４  硬貨リジェクト部
１６  硬貨返却箱
１８  操作表示部
２２  紙幣入金口
２３  鑑別部
２４  紙幣リジェクト部
２６  一時保留部
２８  回収カセット
３２  制御部
３４  記憶部
【図１】
2013050782.tif 000003
【図２】
2013050782.tif 000004
【図３】
2013050782.tif 000005
【図４】
2013050782.tif 000006
【図５】
2013050782.tif 000007
【図６】
2013050782.tif 000008
【図７】
2013050782.tif 000009
【図８】
2013050782.tif 000010
【図９】
2013050782.tif 000011
【図１０】
2013050782.tif 000012
【図１１】
2013050782.tif 000013